(57)【要約】【課題】電話機自体が電源ＯＦＦになってしまうと特殊電源立ち上げ（緊急、遭難時の電源立ち上げ）の仕組みがなく通話ができない。【解決手段】キーマトリクス３内の電源キー操作による電源立ち上げ時にバッテリ電圧判定部１３がバッテリ１２の電圧を判定（Ｖ１、Ｖ２、Ｖ３）し、該判定結果に基づき電源立ち上げ用制御信号作成部１４Ａが電源立ち上げ用制御信号（ＩＲａ、ＩＲｂ、ＩＲｃ）を出力し、該電源立ち上げ用制御信号に基づいて装置電源制御部１５が通常立ち上げか、緊急、遭難時の立ち上げか、立ち上げ不能かを選択し、無線部電源制御部１６及びＡＰＬ部電源制御部１７により、装置電源の立ち上げ制御を行う。【選択図】図１
2008123385.tif 000002
【特許請求の範囲】
【請求項１】
アンテナ切替部、無線受信部、送信処理部、パワーアンプ部、送信出力の切り替えを行う送信出力切替部を有する無線部と、前記無線部から電源供給を受けてベースバンド処理を行うベースバンド処理部と、アプリケーションプログラムの処理を行うＡＰＬ部と、利用者が操作するためのキーを有するキーマトリクスと、装置各部に電源を供給するバッテリを備えた携帯電話機であって、
前記バッテリの電圧が、通常立ち上げを行える電圧か、通常立ち上げは行えないが緊急、遭難時の立ち上げを行える電圧か、立ち上げ不能の電圧かを判定するバッテリ電圧判定部と、
前記バッテリ電圧判定結果の前記各電圧に対応させて、電源立ち上げ用制御信号を出力する電源立ち上げ用制御信号作成部と、
前記電源立ち上げ用制御信号作成部からの出力信号に基づき、装置電源制御用信号を出力する装置電源制御部と、
前記装置電源制御部からの装置電源制御用信号に基づき、前記無線部への電源供給を制御する無線部電源制御部と、
前記装置電源制御部からの装置電源制御用信号に基づき、前記ＡＰＬ部への電源供給を制御するＡＰＬ部電源制御部とを備え、
前記キーマトリクス内の電源キー操作による電源立ち上げ時に、前記バッテリ電圧判定部が前記バッテリの電圧を判定し、前記判定結果に基づき前記電源立ち上げ用制御信号作成部が電源立ち上げ用制御信号を出力し、前記電源立ち上げ用制御信号に基づいて前記装置電源制御部が通常立ち上げか、緊急、遭難時の立ち上げか、立ち上げ不能かを選択し、前記無線部電源制御部及びＡＰＬ部電源制御部により、装置電源の立ち上げ制御を行う機能を備えていることを特徴とする携帯電話機。
【請求項２】
緊急、遭難信号用の特殊なシステムでなく、通常通話用のインフラを使用して緊急、遭難時の通話を可能とする機能を備えていることを特徴とする請求項１記載の携帯電話機。
【請求項３】
前記バッテリの電圧が低くなりアラームにより電源ＯＦＦになっても、前記キーマトリクス内の電源キー操作により、電源再立ち上げが可能であることを特徴とする請求項１記載の携帯電話機。
【請求項４】
前記緊急、遭難時の立ち上げによる緊急、遭難時の通話モードであることを表示する表示手段を備えていることを特徴とする請求項１記載の携帯電話機。
【請求項５】
前記ベースバンド処理部からの受信電界レベル判定信号を基に、緊急、遭難時の通話モードでの受信強度を表示する表示手段を備えていることを特徴とする請求項１記載の携帯電話機。
【請求項６】
緊急、遭難時の立ち上げによる緊急、遭難時の通話モードであることを表示する表示手段と、緊急、遭難時の通話モードでの受信強度を表示する表示手段を１つのＬＥＤで構成し、緊急、遭難時の立ち上げによる緊急、遭難時の通話モードであることの表示と、緊急、遭難時の通話モードでの受信強度の表示を１つのＬＥＤで行うことを特徴とする請求項１記載の携帯電話機。
【請求項７】
省電力化のために通話に必要のない前記ＡＰＬ部を起動せずに、通話に必要な回路にのみ電源を供給して通話を可能とし、かつ、通話時間を延長する機能を備えていることを特徴とする請求項１記載の携帯電話機。
【請求項８】
省電力化のために前記パワーアンプ部を使用せずに、通話に必要な回路にのみ電源を供給して通話を可能とし、かつ、通話時間を延長する機能を備えていることを特徴とする請求項１記載の携帯電話機。
【請求項９】
前記ベースバンド処理部からの受信電界レベル判定信号を基に、受信電界レベルにより、前記パワーアンプ部を使用するか否かを自動的に判定して切り替える機能を備えていることを特徴とする請求項１記載の携帯電話機。
【請求項１０】
前記ベースバンド処理部からの受信電界レベル判定信号を基に、受信電界レベルが低い場合に、前記パワーアンプ部をフルパワーで使用する機能を備えていることを特徴とする請求項１記載の携帯電話機。
【発明の詳細な説明】
【技術分野】
【０００１】
本発明は、バッテリ低電圧アラーム発生後も、緊急、遭難時の通話が可能となる機能を有する携帯電話機に関する。
【背景技術】
【０００２】
§１：従来技術の概要説明
従来の携帯電話機では、バッテリ電圧低下により発生するアラーム後に電話機自体の電源がＯＦＦにされてしまい、充電やバッテリ交換を行わない限り、緊急時においても通話することができなかった。
【０００３】
近年、バッテリ電圧低下により発生するアラーム後に電話機自体の電源ＯＦＦされる間に緊急発信する技術（特許文献１）や電話機電源ＯＦＦ後でも特殊電源立ち上げが可能で低周波帯を用いた緊急、遭難信号を発生送信する技術（特許文献２）や使用者が予めバッテリ終止電圧より高い電圧値を設定し、その設定した電圧値まで低下して電話機電源ＯＦＦとなっても電源キー再操作により電源立ち上げを可能にする技術（特許文献３）等が提案されている。以下、これらの従来例を含めて従来例を詳細に説明する。
【０００４】
§２：従来例１の説明
以下、特許文献１を従来例１として説明する。従来例１には次のような内容が記載されている。
【０００５】
(a) ：「シャットダウンまでの猶予期間中であっても緊急通報が可能な携帯電話機を提供する。」・・・要約の欄を参照
(b) ：「ローバッテリー検出部が、バッテリーの残容量を検出し、残容量値が所定値以下となったらローバッテリー検出信号を出力し、制御部が、前記ローバッテリー検出信号を入力したら、所定の猶予期間の後に、携帯電話機の電源を遮断するが、前記制御部が、前記所定の猶予期間中に、緊急通報入力検出部から緊急通報入力検出信号を入力した場合には、携帯電話機の電源の遮断を中止するので、緊急通報が可能となる。」・・・段落番号［００２７］参照
§３：従来例２の説明
以下、特許文献２を従来例２として説明する。従来例２には次のような内容が記載されている。
【０００６】
(a) ：「低電圧検出によるシャットダウン後も、位置検索を可能にした構成を持つ携帯電話機の提供。」・・・要約の欄を参照
(b) ：「携帯電話機において、電池電圧の低下による前記携帯電話機のシャットダウン後、特殊電源立ち上げを開始させることが可能な入力部と、前記入力部によって前記特殊電源立ち上げが開始されると、遭難信号を生成する遭難信号生成部と、前記遭難信号を、該遭難信号以外の送信信号の送信パスとは別のパスを介して送信波として送信する送信部とを有することを特徴とする携帯電話機。」・・・段落番号［０００８］参照
§４：従来例３の説明
以下、特許文献３を従来例３として説明する。従来例３には次のような内容が記載されている。
【０００７】
(a) ：「携帯型無線電話装置の電池電圧低下時に、余裕を持って電源遮断を行い、切断後も再起動可能とする。」・・・要約の欄を参照
(b) ：「通話終止電圧より高い電圧値をユーザが選択登録し、登録した電圧まで低下すると一旦電源を切断するが、ユーザが電源再接続すると、通話終止電圧になるまで残りの通話時間をユーザに通知するとともに電源の接続を保持し、携帯型無線電話装置に定められた通話終止電圧まで通話を行わせる。これにより、二次電池の交換、あるいは充電器による充電なしでも、外出中などの使用者はある程度の時間通話を行うことができる。」・・・要約の欄を参照
§５：従来例４の説明
以下、特許文献４を従来例４として説明する。従来例４には次のような内容が記載されている。
【０００８】
(a) ：「携帯通信端末の電池の残量警告状態が発生時、使用中の場合電源遮断をせず警告表示のみとし、使用終了又は利用者が指定した警告表示後の許容時間経過後に電源遮断をする。」・・・要約の欄を参照
【特許文献１】特開２００１−３２０４７８号公報
【特許文献２】特開２００４−７８４５５号公報
【特許文献３】特開２０００−２５３５９３号公報
【特許文献４】特開２００２−３５９６７３号公報
【特許文献５】特開２０００−３５３０３３号公報
【発明の開示】
【発明が解決しようとする課題】
【０００９】
(1) ：前記従来例１（特許文献１）では、電話機自体が電源ＯＦＦになってしまうと特殊電源立ち上げの仕組みがなく通話ができない。
【００１０】
(2) ：前記従来例２（特許文献２）では、特殊立ち上げの仕組みを持ち、電源ＯＦＦ後の再立ち上げは可能であるが、通常通話で使用されている高周波数帯ではなく、緊急、遭難信号用の低周波数帯を用いるために、通常通話とは別に、緊急、遭難信号用の低周波数帯を用いた特殊システムを容易しなければならず、インフラの整備等で高額な費用を費やさなければならないという課題がある。
【００１１】
(3) ：前記従来例３（特許文献３）では、見かけ上は通話時間が長くなるように感じるが、実質的にバッテリの終止電圧までしか使用できないため終止電圧を下回った場合は電源再立ち上げが不可能で通話時間が延長されるわけではない。
【００１２】
(4) ：前記従来例４（特許文献４）では、バッテリの残量警告状態になると、使用終了または指定した警告表示後の許容時間経過後に、電源遮断する。従って、従来例４は本発明の参考技術程度の内容である。
【００１３】
(5) ：前記従来例５（特許文献５）では、バッテリ電圧が低下すると、非実行状態の回路への通電を停止する。従って、従来例５は本発明の参考技術程度の内容である。
【００１４】
(6) ：近年、Ｗ−ＣＤＭＡにおいては、通信システムとして２ＧＨZ 帯使用だけでなく、８００ＭＨZ 帯や１．７ＧＨZ 帯等使用できる周波数帯が増えており、通話が不可能となる圏外地域の減少が見込まれているため、通常通話のインフラのみ使用することが可能となり、新たに緊急、遭難信号用のインフラを整備する必要がなくなってきている。
【００１５】
また、携帯電話機においては、低電圧で動作するデバイスが増加する傾向にあり、通話時に電力を多く消費するパワーアンプを使用しないことにより、携帯電話機自体の消費電力を抑えることが可能であり、かつ緊急通話時に不必要なＬＣＤやバックライト等のアプリケーション部の電源をＯＦＦにすることにより、更に消費電力を抑えることが可能となる。
【００１６】
従って、本発明は、バッテリ電圧低下により発生するアラーム後に電話機自体が電源ＯＦＦとなった場合に通話が可能となるような電源再立ち上げの仕組みを持ち、かつ通常通話で使用する高周波帯のインフラを使用して、緊急、遭難時の通話を可能とする仕組みを持ち、また、終止電圧を下回った場合でも、通話に必要な回路にのみ電源供給を行うことにより、通話時間を延長することが可能な仕組みを携帯電話機に持たせることを目的とする。
【課題を解決するための手段】
【００１７】
本発明は前記の目的を達成するため、次のように構成した。
【００１８】
(1) ：  アンテナ切替部、無線受信部、送信処理部、パワーアンプ部、送信出力の切り替えを行う送信出力切替部を有する無線部と、前記無線部から電源供給を受けてベースバンド処理を行うベースバンド処理部と、アプリケーションプログラムの処理を行うＡＰＬ部と、利用者が操作するためのキーを有するキーマトリクスと、装置各部に電源を供給するバッテリを備えた携帯電話機であって、前記バッテリの電圧が、通常立ち上げを行える電圧か、通常立ち上げは行えないが緊急、遭難時の立ち上げを行える電圧か、立ち上げ不能の電圧かを判定するバッテリ電圧判定部と、前記バッテリ電圧判定結果の前記各電圧に対応させて、電源立ち上げ用制御信号を出力する電源立ち上げ用制御信号作成部と、前記電源立ち上げ用制御信号作成部からの出力信号に基づき、装置電源制御用信号を出力する装置電源制御部と、前記装置電源制御部からの装置電源制御用信号に基づき、前記無線部への電源供給を制御する無線部電源制御部と、前記装置電源制御部からの装置電源制御用信号に基づき、前記ＡＰＬ部への電源供給を制御するＡＰＬ部電源制御部とを備え、前記キーマトリクス内の電源キー操作による電源立ち上げ時に、前記バッテリ電圧判定部が前記バッテリの電圧を判定し、前記判定結果に基づき前記電源立ち上げ用制御信号作成部が電源立ち上げ用制御信号を出力し、前記電源立ち上げ用制御信号に基づいて前記装置電源制御部が通常立ち上げか、緊急、遭難時の立ち上げか、立ち上げ不能かを選択し、前記無線部電源制御部及びＡＰＬ部電源制御部により、装置電源の立ち上げ制御を行う機能を備えていることを特徴とする。
【００１９】
(2) ：前記(1) の携帯電話機において、緊急、遭難信号用の特殊なシステムでなく、通常通話用のインフラを使用して緊急、遭難時の通話を可能とする機能を備えていることを特徴とする。
【００２０】
(3) ：前記(1) の携帯電話機において、前記バッテリの電圧が低くなりアラームにより電源ＯＦＦになっても、前記キーマトリクス内の電源キー操作により、電源再立ち上げが可能であることを特徴とする。
【００２１】
(4) ：前記(1) の携帯電話機において、前記緊急、遭難時の立ち上げによる緊急、遭難時の通話モードであることを表示する表示手段を備えていることを特徴とする。
【００２２】
(5) ：前記(1) の携帯電話機において、前記ベースバンド処理部からの受信電界レベル判定信号を基に、緊急、遭難時の通話モードでの受信強度を表示する表示手段を備えていることを特徴とする。
【００２３】
(6) ：前記(1) の携帯電話機において、緊急、遭難時の立ち上げによる緊急、遭難時の通話モードであることを表示する表示手段と、緊急、遭難時の通話モードでの受信強度を表示する表示手段を１つのＬＥＤで構成し、緊急、遭難時の立ち上げによる緊急、遭難時の通話モードであることの表示と、緊急、遭難時の通話モードでの受信強度の表示を１つのＬＥＤで行うことを特徴とする。
【００２４】
(7) ：前記(1) の携帯電話機において、省電力化のために通話に必要のない前記ＡＰＬ部を起動せずに、通話に必要な回路にのみ電源を供給して通話を可能とし、かつ、通話時間を延長する機能を備えていることを特徴とする。
【００２５】
(8) ：前記(1) の携帯電話機において、省電力化のために前記パワーアンプ部を使用せずに、通話に必要な回路にのみ電源を供給して通話を可能とし、かつ、通話時間を延長する機能を備えていることを特徴とする。
【００２６】
(9) ：前記(1) の携帯電話機において、前記ベースバンド処理部からの受信電界レベル判定信号を基に、受信電界レベルにより、前記パワーアンプ部を使用するか否かを自動的に判定して切り替える機能を備えていることを特徴とする。
【００２７】
(10)：前記(1) の携帯電話機において、前記ベースバンド処理部からの受信電界レベル判定信号を基に、受信電界レベルが低い場合に、前記パワーアンプ部をフルパワーで使用する機能を備えていることを特徴とする。
【００２８】
（作用）
図１は本発明の原理説明図である。以下、図１を参照しながら本発明の作用を説明する。
【００２９】
(a) ：前記(1) の作用
携帯電話機において、バッテリ電圧判定部１３はバッテリ１２の電圧が、通常立ち上げを行える電圧（例えば、Ｖ１）か、通常立ち上げは行えないが緊急、遭難時の立ち上げを行える電圧（例えば、Ｖ２）か、立ち上げ不能の電圧（例えば、Ｖ３）かを判定する。そして、電源立ち上げ用制御信号作成部１４Ａ（図３の割り込み制御部に対応）は、バッテリ電圧の判定結果の前記各電圧に対応させて、電源立ち上げ用制御信号（例えば、割り込み信号ＩＲａ、ＩＲｂ、ＩＲｃ）を出力する。（Ｖ１＞Ｖ２＞Ｖ３）
次に、装置電源制御部１５は、電源立ち上げ用制御信号作成部１４Ａからの出力信号に基づき、装置電源制御用信号を出力する。無線部電源制御部１６は、装置電源制御部１５からの装置電源制御用信号に基づき、無線部１９への電源供給を制御する。また、ＡＰＬ部電源制御部１７は、装置電源制御部１５からの装置電源制御用信号に基づき、ＡＰＬ部３８への電源供給を制御する。
【００３０】
このようにして、キーマトリクス３内の電源キー操作による電源立ち上げ時に、バッテリ電圧判定部１３がバッテリ１２の電圧を判定し、前記判定結果に基づき電源立ち上げ用制御信号作成部１４Ａが電源立ち上げ用制御信号を出力し、前記電源立ち上げ用制御信号に基づいて装置電源制御部１５が通常立ち上げか、緊急、遭難時の立ち上げか、立ち上げ不能かを選択し、無線部電源制御部１６及びＡＰＬ部電源制御部１７により、装置電源の立ち上げ制御を行う。
【００３１】
(b) ：前記(2) の作用
前記(1) の携帯電話機において、緊急、遭難信号用の特殊なシステムでなく、通常通話用のインフラを使用して緊急、遭難時の通話を可能とする。
【００３２】
(c) ：前記(3) の作用
前記(1) の携帯電話機において、バッテリ電圧が低くなりアラームにより電源ＯＦＦになっても、キーマトリクス３内の電源キー操作により、電源再立ち上げが可能である。
【００３３】
(d) ：前記(4) の作用
前記(1) の携帯電話機において、表示手段により、緊急、遭難時の立ち上げによる緊急、遭難時の通話モードであることを表示する。
【００３４】
(e) ：前記(5) の作用
前記(1) の携帯電話機において、表示手段により、ベースバンド処理部１８からの受信電界レベル判定信号を基に、緊急、遭難時の通話モードでの受信強度を表示する。
【００３５】
(f) ：前記(6) の作用
前記(1) の携帯電話機において、緊急、遭難時の立ち上げによる緊急、遭難時の通話モードであることを表示する表示手段と、緊急、遭難時の通話モードでの受信強度を表示する表示手段を１つのＬＥＤで構成しているので、緊急、遭難時の立ち上げによる緊急、遭難時の通話モードであることの表示と、緊急、遭難時の通話モードでの受信強度の表示を１つのＬＥＤで行うことができる。
【００３６】
(g) ：前記(7) の作用
前記(1) の携帯電話機において、省電力化のために通話に必要のないＡＰＬ部３８を起動せずに、通話に必要な回路にのみ電源を供給して通話を可能とし、かつ、通話時間を延長することができる。
【００３７】
(h) ：前記(8) の作用
前記(1) の携帯電話機において、省電力化のために前記パワーアンプ部を使用せずに、通話に必要な回路にのみ電源を供給して通話を可能とし、かつ、通話時間を延長する。
【００３８】
(i) ：前記(9) の作用
前記(1) の携帯電話機において、ベースバンド処理部１８からの受信電界レベル判定信号を基に、受信電界レベルにより、パワーアンプ部を使用するか否かを自動的に判定して切り替える。
【００３９】
(j) ：前記(10)の作用
前記(1) の携帯電話機において、ベースバンド処理部１８からの受信電界レベル判定信号を基に、受信電界レベルが低い場合に、パワーアンプ部をフルパワーで使用する。
【００４０】
(k) ：以上の(a) 乃至(j) の作用により、バッテリ電圧低下により発生するアラーム後に電話機自体が電源ＯＦＦになった場合に通話が可能となるような電源再立ち上げの仕組みを持ち、かつ通常通話で使用する高周波帯のインフラを使用して、緊急、遭難時の通話を可能とする仕組みを持ち、また、終止電圧を下回った場合でも、通話に必要な回路にのみ電源供給を行うことにより、通話時間を延長することが可能な仕組みを携帯電話機に持たせることができる。
【発明の効果】
【００４１】
請求項１乃至１０により次のような効果がある。
【００４２】
(1) ：従来技術と比較し、バッテリ低電圧によるアラームにより電源ＯＦＦになっても電源キー長押しにより、バッテリの残電圧を判定して電源再立ち上げが可能になる。
【００４３】
(2) ：消費電流を抑えるために緊急通話に不必要なＡＰＬ部及びパワーアンプ部を使用せずに、かつ通常通話で使用する高周波数帯のインフラを使用して、緊急、遭難時の通話が可能となる。
【００４４】
(3) ：緊急立ち上げ時の状態監視においては、１つのＬＥＤにて受信電界レベルの判定が可能となる。
【００４５】
(4) ：受信電界レベルが「弱電界」状態においては、消費電流を増加させてしまうがパワーアンプを使用するモードに自動的に切り替わり、通話を可能としている。さらに高い送信レベルが要求された場合であっても、フルパワーキー押下により、パワーアンプ部をフルパワー（最大送信電力）で使用することが可能となる。
【００４６】
(5) ：バッテリ電圧低下により発生するアラーム後に電話機自体が電源ＯＦＦになった場合に通話が可能となるような電源再立ち上げの仕組みを持ち、かつ通常通話で使用する高周波帯のインフラを使用して、緊急、遭難時の通話を可能とする仕組みを持ち、また、終止電圧を下回った場合でも、通話に必要な回路にのみ電源供給を行うことにより、通話時間を延長することが可能な仕組みを携帯電話機に持たせることができる。
【発明を実施するための最良の形態】
【００４７】
以下、携帯電話機の具体例について詳細に説明する。
【００４８】
§１：携帯電話機の概要の説明
図１は本発明の原理説明図である。以下、図１に基づき、携帯電話機の概要を説明する。
【００４９】
(1) ：アンテナ切替部、無線受信部、送信処理部、パワーアンプ部２６、送信出力の切り替えを行う送信出力切替部２７を有する無線部１９と、無線部１９から電源供給を受けてベースバンド処理を行うベースバンド処理部１８と、アプリケーションプログラムの処理を行うＡＰＬ部３８と、利用者が操作するためのキーを有するキーマトリクスと、装置各部に電源を供給するバッテリを備えた携帯電話機であって、バッテリ１２の電圧が、通常立ち上げを行える電圧（Ｖ１）か、通常立ち上げは行えないが緊急、遭難時の立ち上げを行える電圧（Ｖ２）か、立ち上げ不能の電圧（Ｖ３）かを判定する（Ｖ１＞Ｖ２＞Ｖ３）バッテリ電圧判定部１３と、バッテリ電圧判定結果の前記各電圧に対応させて、電源立ち上げ用制御信号（例えば、割り込み信号）を出力する電源立ち上げ用制御信号作成部１４Ａ（図３の割り込み制御部１４に対応）と、電源立ち上げ用制御信号作成部からの出力信号に基づき、装置電源制御用信号を出力する装置電源制御部（例えば、ＣＰＵとプログラムを有する装置）１５（図３のＣＰＵ部に対応）と、装置電源制御部１５からの装置電源制御用信号に基づき、無線部１９への電源供給を制御する無線部電源制御部１６と、装置電源制御部１５からの装置電源制御用信号に基づき、ＡＰＬ部３８への電源供給を制御するＡＰＬ部電源制御部１７とを備え、キーマトリクス３内の電源キー操作による電源立ち上げ時に、バッテリ電圧判定部１３がバッテリ１２の電圧を判定し、判定結果に基づき電源立ち上げ用制御信号作成部が電源立ち上げ用制御信号を出力し、電源立ち上げ用制御信号に基づいて装置電源制御部１５が通常立ち上げか、緊急、遭難時の立ち上げか、立ち上げ不能かを選択し、無線部電源制御部１６及びＡＰＬ部電源制御部１７により、装置電源の立ち上げ制御を行う機能を備えている。（例えば、Ｖ１＝３．２Ｖ以上、Ｖ２＝２．９Ｖ以上、Ｖ３＝２．９Ｖ未満）
(2) ：前記(1) の携帯電話機において、緊急、遭難信号用の特殊なシステムでなく、通常通話用のインフラを使用して緊急、遭難時の通話を可能とする機能を備えている。
【００５０】
(3) ：前記(1) の携帯電話機において、バッテリ１２の電圧が低くなりアラームにより電源ＯＦＦになっても、キーマトリクス３内の電源キー操作により、電源再立ち上げが可能である。
【００５１】
(4) ：前記(1) の携帯電話機において、緊急、遭難時の立ち上げによる緊急、遭難時の通話モードであることを表示する表示手段（例えば、ＬＥＤ）を備えている。
【００５２】
(5) ：前記(1) の携帯電話機において、ベースバンド処理部１８からの受信電界レベル判定信号を基に、緊急、遭難時の通話モードでの受信強度を表示する表示手段（例えば、ＬＥＤ）を備えている。
【００５３】
(6) ：前記(1) の携帯電話機において、緊急、遭難時の立ち上げによる緊急、遭難時の通話モードであることを表示する表示手段と、緊急、遭難時の通話モードでの受信強度を表示する表示手段を１つのＬＥＤ（発光ダイオード）で構成し、緊急、遭難時の立ち上げによる緊急、遭難時の通話モードであることの表示と、緊急、遭難時の通話モードでの受信強度の表示を１つのＬＥＤで行う。
【００５４】
(7) ：前記(1) の携帯電話機において、省電力化のために通話に必要のない前記ＡＰＬ部３８を起動せずに、通話に必要な回路にのみ電源を供給して通話を可能とし、かつ、通話時間を延長する。
【００５５】
(8) ：前記(1) の携帯電話機において、省電力化のために前記パワーアンプ部を使用せずに、通話に必要な回路にのみ電源を供給して通話を可能とし、かつ、通話時間を延長する。
【００５６】
(9) ：前記(1) の携帯電話機において、ベースバンド処理部１８からの受信電界レベル判定信号を基に、受信電界レベルにより、前記パワーアンプ部を使用するか否かを自動的に判定して切り替える機能を備えている。
【００５７】
(10)：前記(1) の携帯電話機において、ベースバンド処理部１８からの受信電界レベル判定信号を基に、受信電界レベルが低い場合に、前記パワーアンプ部をフルパワーで使用する。
【００５８】
§２：携帯電話機の概観の説明
図２は携帯電話機の概観説明図である。以下、図２に基づき、携帯電話機の概観を説明する。
【００５９】
携帯電話機本体１は、携帯電話機の代表的な例であるバッテリ搭載の折りたたみ式の携帯電話機の携帯電話機本体である。メインＬＣＤ部２はメインの表示装置である液晶パネル部である。キーマトリクス部３は各種のキーを備えたものである。
【００６０】
電源ＯＮキー４は電源をＯＮにするためのキーであり、キーマトリクス部３の一部である。なお、この電源ＯＮキーを長押しすることにより携帯電話機本体１の電源がＯＮになる。フルパワーキー５もキーマトリクス部３の一部であり、フルパワーで動作させたい場合に押すキーである。
【００６１】
また、サブＬＣＤ部６、着信ＬＣＤ７、アウトカメラ８、スピーカ９、インカメラ１０等が設けてあり、これらは代表的なバッテリ搭載の折りたたみ式の携帯電話機に搭載されているアプリケーション部を構成する部分である。緊急モードＬＥＤ１１は緊急モード時に点灯するＬＥＤである。
【００６２】
§３：装置電源制御系の説明
(1) ：装置電源制御系の構成の説明
図３は装置電源制御系のブロック図である。この装置電源制御系は、特に、低電圧アラーム発生後の端末電源ＯＦＦ後の再立ち上げを可能にする手段の構成である。
【００６３】
バッテリ１２は携帯電話機本体１に搭載されているものであり、通常充電可能なバッテリ電圧である。バッテリ１２の電圧情報はバッテリ電圧判定部１３に渡される。キーマトリクス部３の一部である電源ＯＮキー４を長押しすることにより、バッテリ電圧判定部１３でバッテリ１２の電圧判定が行なわれる。
【００６４】
バッテリ電圧判定部１３では、通常携帯電話機を動作させるために必要な電圧（終止電圧）以上であるか、通信を行うために最低限動作しなければならない無線部が動作する電圧以上であるか、また無線部も動作することができない電圧であるかを判定する。なお、ここでは通常携帯電話機を動作させるために必要な電圧（終止電圧）を３．２Ｖ、通信を行うために最低限動作しなければならない無線部が動作する電圧を２．９Ｖと一般的な携帯電話機の動作電圧を例として説明を行う。
【００６５】
バッテリ電圧判定部１３で判定された結果は、割り込み制御部１４（図１の電源立ち上げ用制御信号作成部１４Ａの１例）に渡される。割り込み制御部１４ではバッテリ電圧判定部１３での結果を受け、装置電源制御部１５に対して３種類の割り込み信号ＩＲＱ０、ＩＲＱ１、ＮＭＩを出力する。この場合、装置電源制御部１５は、ＣＰＵ、ＭＰＵ等のプロセッサと、該プロセッサが実行するためのプログラムを備えており、前記プロセッサが前記プログラムを実行することで、装置電源制御部１５の機能を実現する。
【００６６】
装置電源制御部１５は、前記割り込み信号別に無線部電源制御部１６及びＡＰＬ部電源制御部１７に対し電源供給の可否を設定する。
【００６７】
(2) ：装置電源制御系の制御（又は動作）の説明
図４は装置電源制御系の制御フローチャートである。以下、図４に基づいて、装置電源制御系の制御（又は動作）を説明する。なお、図４において、Ｓ１〜Ｓ７は各処理ステップを示す。
【００６８】
先ず、電源ＯＮキー４を操作（長押し）する（Ｓ１）。この操作により、バッテリ電圧判定部１３の電圧判定が行われる（Ｓ２）。この判定により、バッテリ電圧が３．２Ｖ以上であるか否かが判定される（Ｓ３）。ここで、３．２Ｖ以上と判定されれば、割り込み制御部１４にこの情報を渡し、割り込み制御部１４では、割り込み信号ＮＭＩ信号を生成して装置電源制御部１５に渡す。
【００６９】
この信号により装置電源制御部１５において、「通常立ち上げ」であると認識して、無線部電源制御部１６に対し電源ＯＮを指示し、また、ＡＰＬ部電源制御部１７に対しても電源ＯＮを指示する（Ｓ４）。また、前記Ｓ３の判定により、３．２Ｖ未満と判定された場合は、次の判定条件である２．９Ｖ以上か否かを判定する（Ｓ５）。
【００７０】
この判定により、２．９Ｖ以上と判定された場合は、割り込み制御部１４にこの情報を渡し、割り込み制御部１４では割り込み信号ＩＲＱ１信号を生成して装置電源制御部１５に渡す。この情報により装置電源制御部１５において、「緊急立ち上げ」であると認識して、無線部電源制御部１６に対し電源ＯＮを指示し、また、ＡＰＬ部電源制御部１７に対しては電源ＯＦＦを指示し、無線部が電源ＯＮとなる緊急モードに遷移する（Ｓ６）。
【００７１】
また、前記Ｓ５の判定により２．９Ｖ未満と判定された場合は、割り込み制御部１４にこの情報を渡し、割り込み制御部１４では割り込み信号ＩＲＱ０を生成して、装置電源制御部１５に渡す。この情報により装置電源制御部１５において、「立ち上げ不能」であると認識して、無線部電源制御部１６およびＡＰＬ部電源制御部１７ともに電源ＯＦＦを指示して、立つ上げ不能状態に遷移する（Ｓ７）。なお、ここでの割り込み優先順位は、ＮＭＩ＞ＩＲＱ１＞ＩＲＱ０となる。
【００７２】
§４：無線部電源制御部及び無線部等の説明
図５は無線部電源制御部及び無線部の詳細構成図である。以下、無線部電源制御部及び無線部の詳細構成及び動作を説明する。
【００７３】
無線部電源制御部１６は無線部１９の電源供給の制御を行うもので、受信電源制御部２０、送信電源制御部２１、パワーアンプ電源制御部２２で構成される。受信電源制御部２０は、無線部１９を構成する無線受信部２３への電源供給制御を行う。受信電源制御部２０にはバッテリ１２から電源が供される。そこに装置電源制御部１５からの制御信号が入力され、その内容が「通常立ち上げ」、或いは「緊急立ち上げ」であった場合のみ、無線受信部２３に必要な電圧に変換して供給を行う。
【００７４】
送信電源制御部２１は無線部１９を構成する無線送信部２４内の送信処理部２５への電源供給制御を行う。送信電源制御部２１には、バッテリ１２から電源が供給される。そこに装置電源制御部１５からの制御信号が入力され、その内容が「通常立ち上げ」、或いは「緊急立ち上げ」であった場合のみ、送信処理部２５に必要な電圧に変換して供給を行う。
【００７５】
また、パワーアンプ電源制御部２２は無線部１９を構成する無線送信部２４内のパワーアンプ部２６への電源供給制御を行う。送信電源制御部２１にはバッテリ１２から電源が供給される。そこに装置電源制御部１５からの制御信号が入力され、その内容が「通常立ち上げ」、或いは「緊急立ち上げ」である場合、かつアンテナ２９から受信した通常通話で使用するインフラを構成する無線基地局からの電波を受信し、無線受信部２３にて受信処理を行う。また、ペースバンド処理部１８にて出力される受信電界レベル信号は「強電界」、「中電界」、「弱電界」の３種類であった場合のみ、ハワーアンプ部２６に必要な電圧に変換して供給を行う。
【００７６】
無線部１９は電波を受信するためのアンテナ２９を持ち、そのアンテナ２９に対し、受信信号を受信するか、送信信号を送信するかを切り替えるためのアンテナ切替部２８を持つ。また、送受信信号を処理する無線受信部２３及び無線送信部２４を持つ。更に、無線送信部２４は送信処理部２５、パワーアンプ部２６及び送信出力切替部２７で構成される。
【００７７】
無線受信部２３はアンテナ２９から受信した通常通話で使用するインフラを構成する無線基地局からの電波をアンテナ切替部２８を経由して受信し、処理を行い、受信信号をベースバンド処理部１８に渡す。また、送信処理部２５はベースバンド処理部１８からの送信信号を処理し、無線送信部２４を構成するパワーアンプ部２６及び送信出力切替部２７に渡す。パワーアンプ部２６は送信処理部２５からの信号を増幅して送信出力切替部２７に送る。
【００７８】
送信出力切替部２７は本発明の特徴の１つである、通話時に電力を多く消費するパワーアンプの使用を選択する部分であり、無線受信部２３で処理された信号を受けたベースバンド処理部１８から受信電界レベルを判定する信号を受けることにより、「強電界」あるいは「中電界」の場合は、送信処理部２５からの送信信号を選択して、アンテナ切替部２８に送り、「弱電界」の場合は、パワーアンプ部２６からの増幅された送信信号を選択してアンテナ切替部２８に送る。
【００７９】
§５：パワーアンプ電源制御部等の説明
図６はパワーアンプ電源制御部の詳細構成図である。以下、パワーアンプ電源制御部の詳細構成及び動作を説明する。
【００８０】
パワーアンプ電源制御部２２はパワーアンプ用降圧ＤＣ／ＤＣコンバータ３０、パワーアンプ用昇圧ＤＣ／ＤＣコンバータ３１、パワーアンプ電源切替制御部３２及びパワーアンプ用電源出力切替制御部３３で構成されている。
【００８１】
パワーアンプ用降圧ＤＣ／ＤＣコンバータ３０、パワーアンプ用昇圧ＤＣ／ＤＣコンバータ３１はバッテリ１２から電源供給を受け、装置電源制御部１５からの「通常立ち上げ」あるいは「緊急立ち上げ」の場合のみ動作可能状態となる。パワーアンプ電源切替制御部３２は、ベースバンド処理部１８からの受信電界レベル信号を受け、「弱電界」の場合のみに動作状態となる。
【００８２】
通常はパワーアンプ用降圧ＤＣ／ＤＣコンバータ３０が選択され動作するが、キーマトリクス３の一部であるフルパワーキー５を押下することにより、パワーアンプ用昇圧ＤＣ／ＤＣコンバータ３１が選択され動作する。また、この状態に合わせてパワーアンプ用電源出力切替制御部３３では、パワーアンプ用降圧ＤＣ／ＤＣコンバータ３０あるいはパワーアンプ用昇圧ＤＣ／ＤＣコンバータ３１出力を選択し、パワーアンプ電源としてパワーアンプ部２６に供給する。
【００８３】
§６：パワーアンプ電源制御部等の制御（又は動作）の説明
図９は緊急モード時の制御フローチャート（その２）である。以下、図９に基づいて、緊急モード時の制御（又は動作）を説明する。なお、図９において、Ｓ６〜Ｓ１８は各処理ステップを示す。
【００８４】
緊急立ち上げ（Ｓ６）で起動した場合、ベースバンド処理部１８は、無線受信部２３からの受信信号により、受信電界レベルを判定する（Ｓ９）。
【００８５】
判定の結果、「強電界」あるいは「中電界」であった場合は、パワーアンプを必要としない（ＰＡバイパス）モードとなるため、パワーアンプ電源切替制御部３２は、パワーアンプ用降圧ＤＣ／ＤＣコンバータ３０及びパワーアンプ用昇圧ＤＣ／ＤＣコンバータ３１に電源を供給しないよう動作不可設定を行う。これによりパワーアンプ用電源出力切替制御部３３からはパワーアンプ電源供給を止めるので、パワーアンプ部２６は動作しないことになる。
【００８６】
また、送信出力切替部２７においては、ベースバンド処理部１８からの受信電界レベル信号により、送信処理部２５からの送信信号を選択して、アンテナ切替部２８に送り、アンテナ２９から送信信号が送出される（Ｓ１４）。
【００８７】
但し、前記Ｓ９の受信電界レベル判定にて「弱電界」と判定された場合は、山間部など基地局から離れた場所等にいることが想定され、ＰＡバイパス状態では送信することが不可能となるため、消費電流は増加し通話時間が短くなってしまうが、パワーアンプを使用する（ＰＡ使用）モードに遷移する（Ｓ１５）。
【００８８】
また、ここではさらに消費電流は増加してしまうが、フルパワーキー５の操作（Ｓ１６）により、さらにパワーアンプの電圧を上げてフルパワーで送信が可能となるような仕組みも持たせている。ＰＡ使用モード（Ｓ１５）となった場合、通常フルパワーキー５を押下しない。これによりパワーアンプ電源切替制御部３２はパワーアンプ用降圧ＤＣ／ＤＣコンバータ３０を動作させ、かつパワーアンプ用電源出力切替制御部３３はパワーアンプ用降圧ＤＣ／ＤＣコンバータ３０からのバッテリ１２の現状の電圧値以下の電圧を出力してパワーアンプ部２６を動作させ、また、送信出力切替部２７においては、ベースバンド処理部１８からの受信電界レベル信号により、パワーアンプ部２６からの送信信号を選択して、アンテナ切替部２８に送り、アンテナ２９から送信信号を送出するＰＡ通常モードに遷移して送信を押下（Ｓ１７）。
【００８９】
さらにこの場合でも送信レベルが不足している場合のみ、フルパワーキー５を押下する。これによりパワーアンプ電源切替制御部３２はパワーアンプ用昇圧ＤＣ／ＤＣコンバータ３１を動作させ、かつパワーアンプ用電源出力切替制御部３３はパワーアンプ用昇圧ＤＣ／ＤＣコンバータ３１からのバッテリ１２の現状の電圧以上の電圧を出力してパワーアンプ部２６を動作させ、また、送信出力切替部２７においては、ベースバンド処理部１８からの受信電界レベル信号により、パワーアンプ部２６からの送信信号を選択して、アンテナ切替部２８に送り、アンテナ２９から送信信号が送出するＰＡフルパワーモードに遷移して送信を行う（Ｓ１８）。
【００９０】
なお、ＰＡバイパスモード（Ｓ１４）、ＰＡ通常モード（Ｓ１７）及びＰＡフルパワーモード（Ｓ１８）の状態において、さらに受信電界レベルを監視（Ｓ１３）し、受信電界レベルに変化が生じた場合は、受信電界レベル判定（Ｓ９）の結果を持って、パワーアンプを使用するか否かの再判定を自動に実施することも可能である。
【００９１】
§６：ＡＰＬ電源制御部、ＡＰＬ部及び緊急モード時関連部分の説明
図７はＡＰＬ電源制御部、ＡＰＬ部及び緊急モード時関連部分の構成図である。ＡＰＬ電源制御部１７は、ＬＣＤ電源制御部３４、ＬＣＤバックライト用昇圧ＤＣ／ＤＣコンバータ３５、カメラ電源制御部３６、ＡＰＬ周辺部電源制御部３７で構成される。
【００９２】
また、ＡＰＬ部３８は、メインＬＣＤ部２、サブＬＣＤ部６、アウトカメラ８、インカメラ１０、キーバックライト４３、スピーカアンプ４４及びスピーカ９、着色ＬＥＤ７で構成される。なお、メインＬＣＤ部２およびサブＬＣＤ部６は、メインＬＣＤ表示部３９とメインＬＣＤバックライト４０、サブＬＣＤ表示部４１とサブＬＣＤバックライト４２により構成される。
【００９３】
ＡＰＬ電源制御部１７は、バッテリ１２から電源供給を受け、装置電源制御部１５からの「ＡＰＬ部制御信号」においてＡＰＬ部電源ＯＮ（通常立ち上げ）の指示があった場合は、ＬＣＤ電源制御部３４は、メインＬＣＤ表示部３９およびサブＬＣＤ表示部４１に電源を供給し、ＬＣＤバックライト用昇圧ＤＣ／ＤＣコンバータ３５は一般に４．５Ｖで動作するメインＬＣＤバックライト４０およびサブＬＣＤバックライト４２に対して４．５Ｖに昇圧した電源を供給し、カメラ電源制御部３６はアウトカメラ８及びインカメラ１０に電源を供給し、ＡＰＬ周辺部電源制御部３７は、キーバックライト４３、スピーカアンプ４４および着色ＬＥＤ７に電源を供給する。
【００９４】
また、緊急表示電源制御部４５は、バッテリ１２から電源供給を受け、装置電源制御部１５からの「ＡＰＬ部制御信号」においてＡＰＬ部電源ＯＦＦ（緊急立ち上げ）の指示があった場合、かつバッテリ電圧判定部１３から「２．９Ｖ以上」の電圧判定信号を受けた場合にのみ動作し、緊急モードＬＥＤ１１に電源を供給する。
【００９５】
なお、緊急モードＬＥＤ１１は、２．９Ｖ以下の電圧での動作が可能で、かつ三色発光（緑、橙、赤）のタイプのＬＥＤを用いる。また、ベースバンド処理部１８は無線部１９から電源供給を受けて動作する。
【００９６】
§７：緊急モード時の制御（又は動作）の説明
図８は緊急モード時の制御フローチャート（その１）である。以下、図８に基づいて、緊急モード時の制御（又は動作）を説明する。なお、図８において、Ｓ６〜Ｓ１３は各処理ステップを示す。
【００９７】
緊急立ち上げ（Ｓ６）で起動した場合、装置電源制御部１５からの「ＡＰＬ部制御信号」により、ＡＰＬ電源制御部１７は動作せず、ＡＰＬ部３８は電源供給させず電源ＯＦＦ状態となる（Ｓ８）。但し、緊急表示電源制御部４５については、バッテリ電圧判定部１３から「２．９Ｖ以上」の電圧判定信号を受けた場合にのみ動作可能となり、緊急モードＬＥＤ１１にのみ電源が供給される。
【００９８】
次に、ベースバンド処理部１８にて受信電界レベルの判定が行なわれる（Ｓ９）。この判定で受信電界レベルが「強電界」の場合は、緊急モードＬＥＤ１１は受信電界レベルが「強」を示す緑色で点灯（Ｓ１０）し、受信電界レベルが「中電界」の場合は、受信電界レベルが「中」を示す橙色で点灯（Ｓ１１）し、受信電界レベルが「弱電界」の場合は、受信電界レベルが「弱」を示す赤色で点灯（Ｓ１２）する。
【００９９】
さらに受信電界レベルを監視（Ｓ１３）し、受信電界レベルに変化が生じた場合は、受信電界レベル判定（Ｓ９）の結果を持って、緊急モードＬＥＤ１１の発光色を自動的に切替えることも可能としている。
【０１００】
§８：付記
前記の説明に対し次の構成を付記する。
【０１０１】
（付記１）
アンテナ切替部、無線受信部、送信処理部、パワーアンプ部、送信出力の切り替えを行う送信出力切替部を有する無線部と、前記無線部から電源供給を受けてベースバンド処理を行うベースバンド処理部と、アプリケーションプログラムの処理を行うＡＰＬ部と、利用者が操作するためのキーを有するキーマトリクスと、装置各部に電源を供給するバッテリを備えた携帯電話機であって、
前記バッテリの電圧が、通常立ち上げを行える電圧か、通常立ち上げは行えないが緊急、遭難時の立ち上げを行える電圧か、立ち上げ不能の電圧かを判定するバッテリ電圧判定部と、
前記バッテリ電圧判定結果の前記各電圧に対応させて、電源立ち上げ用制御信号を出力する電源立ち上げ用制御信号作成部と、
前記電源立ち上げ用制御信号作成部からの出力信号に基づき、装置電源制御用信号を出力する装置電源制御部と、
前記装置電源制御部からの装置電源制御用信号に基づき、前記無線部への電源供給を制御する無線部電源制御部と、
前記装置電源制御部からの装置電源制御用信号に基づき、前記ＡＰＬ部への電源供給を制御するＡＰＬ部電源制御部とを備え、
前記キーマトリクス内の電源キー操作による電源立ち上げ時に、前記バッテリ電圧判定部が前記バッテリの電圧を判定し、前記判定結果に基づき前記電源立ち上げ用制御信号作成部が電源立ち上げ用制御信号を出力し、前記電源立ち上げ用制御信号に基づいて前記装置電源制御部が通常立ち上げか、緊急、遭難時の立ち上げか、立ち上げ不能かを選択し、前記無線部電源制御部及びＡＰＬ部電源制御部により、装置電源の立ち上げ制御を行う機能を備えていることを特徴とする携帯電話機。
【０１０２】
（付記２）
緊急、遭難信号用の特殊なシステムでなく、通常通話用のインフラを使用して緊急、遭難時の通話を可能とする機能を備えていることを特徴とする付記１記載の携帯電話機。
【０１０３】
（付記３）
前記バッテリの電圧が低くなりアラームにより電源ＯＦＦになっても、前記キーマトリクス内の電源キー操作により、電源再立ち上げが可能であることを特徴とする付記１記載の携帯電話機。
【０１０４】
（付記４）
前記緊急、遭難時の立ち上げによる緊急、遭難時の通話モードであることを表示する表示手段を備えていることを特徴とする付記１記載の携帯電話機。
【０１０５】
（付記５）
前記ベースバンド処理部からの受信電界レベル判定信号を基に、緊急、遭難時の通話モードでの受信強度を表示する表示手段を備えていることを特徴とする付記１記載の携帯電話機。
【０１０６】
（付記６）
緊急、遭難時の立ち上げによる緊急、遭難時の通話モードであることを表示する表示手段と、緊急、遭難時の通話モードでの受信強度を表示する表示手段を１つのＬＥＤで構成し、緊急、遭難時の立ち上げによる緊急、遭難時の通話モードであることの表示と、緊急、遭難時の通話モードでの受信強度の表示を１つのＬＥＤで行うことを特徴とする付記１記載の携帯電話機。
【０１０７】
（付記７）
省電力化のために通話に必要のない前記ＡＰＬ部を起動せずに、通話に必要な回路にのみ電源を供給して通話を可能とし、かつ、通話時間を延長する機能を備えていることを特徴とする付記１記載の携帯電話機。
【０１０８】
（付記８）
省電力化のために前記パワーアンプ部を使用せずに、通話に必要な回路にのみ電源を供給して通話を可能とし、かつ、通話時間を延長する機能を備えていることを特徴とする付記１記載の携帯電話機。
【０１０９】
（付記９）
前記ベースバンド処理部からの受信電界レベル判定信号を基に、受信電界レベルにより、前記パワーアンプ部を使用するか否かを自動的に判定して切り替える機能を備えていることを特徴とする付記１記載の携帯電話機。
【０１１０】
（付記１０）
前記ベースバンド処理部からの受信電界レベル判定信号を基に、受信電界レベルが低い場合に、前記パワーアンプ部をフルパワーで使用する機能を備えていることを特徴とする付記１記載の携帯電話機。
【０１１１】
（付記１１）
前記送信出力切替部は、通話時の電力を多く消費する前記パワーアンプ部の使用を選択する機能を有し、
前記無線受信部で処理された信号を受けた前記ベースバンド処理部から受信電界レベル判定信号を受けることにより、「強電界」或いは「中電界」の場合は、前記送信処理部からの送信信号を選択して前記アンテナ切替部に送り、「弱電界」の場合は、前記パワーアンプ部からの増幅された送信信号を選択して前記アンテナ切替部に送る機能を備えていることを特徴とする付記１記載の携帯電話機。
【０１１２】
（付記１２）
アンテナ切替部、無線受信部、送信処理部、パワーアンプ部、送信出力の切り替えを行う送信出力切替部を有する無線部と、前記無線部から電源供給を受けてベースバンド処理を行うベースバンド処理部と、アプリケーションプログラムの処理を行うＡＰＬ部と、利用者が操作するためのキーを有するキーマトリクスと、装置各部に電源を供給するバッテリを備えた携帯電話機の電源立ち上げ制御方法において、
前記キーマトリクス内の電源キー操作による電源立ち上げ時に、前記バッテリの電圧を判定するステップと、
前記判定結果に基づき電源立ち上げ用制御信号を作成するステップと、
前記作成した電源立ち上げ用制御信号に基づいて、通常立ち上げか、緊急、遭難時の立ち上げか、立ち上げ不能かの立ち上げ方法を選択するステップと、
前記選択した立ち上げ方法に従って、無線部及びＡＰＬ部を含む装置電源の立ち上げ制御を行うステップと、
を備えていることを特徴とする携帯電話機の電源立ち上げ制御方法。
【０１１３】
（付記１３）
前記電源立ち上げ用制御信号作成部は、前記バッテリ電圧判定結果の前記各電圧に対応させて、割り込み信号を出力する割り込み制御部で構成し、
前記装置電源制御部は、ＣＰＵ（又は、ＭＰＵ等のプロセッサ）と該ＣＰＵに実行させるためのプログラムで構成し、前記割り込み制御部からの割り込み信号に基づき、装置電源制御用信号を出力する機能を備えていることを特徴とする付記１記載の携帯電話機。
【図面の簡単な説明】
【０１１４】
【図１】本発明の原理説明図である。
【図２】実施の形態における携帯電話機の概観説明図である。
【図３】実施の形態における装置電源制御系のブロック図である。
【図４】実施の形態における装置電源制御系の制御フローチャートである。
【図５】実施の形態における無線部電源制御部及び無線部の詳細構成図である。
【図６】実施の形態におけるパワーアンプ電源制御部の詳細構成図である。
【図７】実施の形態におけるＡＰＬ電源制御部、ＡＰＬ部及び緊急モード関連部分の構成図である。
【図８】実施の形態における緊急モード時の制御フローチャート（その１）である。
【図９】実施の形態における緊急モード時の制御フローチャート（その２）である。
【符号の説明】
【０１１５】
１  携帯電話機本体
２  メインＬＣＤ部
３  キーマトリクス部
４  電源ＯＮキー
５  フルパワーキー
６  サブＬＣＤ部
７  着信ＬＥＤ
８  アウトカメラ
９  スピーカ
１０  インカメラ
１１  緊急モードＬＥＤ
１２  バッテリ
１３  バッテリ電圧判定部
１４  割り込み制御部
１５  装置電源制御部
１６  無線部電源制御部
１７  ＡＰＬ部電源制御部
１８  ベースバンド処理部
１９  無線部
２０  受信電源制御部
２１  送信電源制御部
２２  パワーアンプ電源制御部
２３  無線受信部
２４  無線送信部
２５  送信処理部
２６  パワーアンプ部
２７  送信出力切替部
２８  アンテナ切替部
２９  アンテナ
３０  パワーアンプ用降圧ＤＣ／ＤＣコンバータ
３１  パワーアンプ用昇圧ＤＣ／ＤＣコンバータ
３２  パワーアンプ電源切替制御部
３３  パワーアンプ用電源出力切替部
３４  ＬＣＤ電源制御部
３５  ＬＣＤバックライト用昇圧ＤＣ／ＤＣコンバータ
３６  カメラ電源制御部
３７  ＡＰＬ周辺部電源制御部
３８  ＡＰＬ部
３９  メインＬＣＤ表示部
４０  メインＬＣＤバックライト
４１  サブＬＣＤ表示部
４２  サブＬＣＤバックライト
４３  キーバックライト
４４  スピーカーアンプ
４５  緊急表示電源制御部
【図１】
2008123385.tif 000003
【図２】
2008123385.tif 000004
【図３】
2008123385.tif 000005
【図４】
2008123385.tif 000006
【図５】
2008123385.tif 000007
【図６】
2008123385.tif 000008
【図７】
2008123385.tif 000009
【図８】
2008123385.tif 000010
【図９】
2008123385.tif 000011